(57)【要約】【課題】多段階動作が可能で且つシャフトを中間的な位置で安定的に停止させることが可能なソレノイドを提供すること。【解決手段】シャフト１６に第１可動磁極１１及び第２可動磁極１２を挿通し、第２可動磁極１２をシャフト１６に固着する。第１コイル２０に通電すると、第１可動磁極１１が第１固定磁極１３に当たるまで第１固定磁極１３方向へ移動する。このとき、シャフト１６は第１可動磁極１１に押されて移動し、シャフト１６に固定されている第２可動磁極１２も第１固定磁極１３側へ移動する。さらに第２コイル２１に通電すると、第２可動磁極１２が第１可動磁極１１に当たるまで移動する。このとき、シャフト１６もさらに第１固定磁極１３側へ移動する。第１コイル２０又は第２コイル２１への通電を止めると、バネ２３の反発力でシャフト１６を押し戻す。【選択図】  図１
2004363333.tif 000002
【特許請求の範囲】
【請求項１】
シャフトの軸方向に３箇所、移動と停止が可能なソレノイドにおいて、
前記シャフトは長さ方向の中央付近で太くなるような段差を有し、
前記シャフトが挿通された状態で前記シャフトを摺動可能に支持する軸受けを備えた第１の固定磁極と、
前記第１の固定磁極の近傍に設けられた第１のコイルと、
軸方向に間隔をおいて設けられた第２のコイルと、
第１のコイルと第２のコイルの間に設けられた第２の固定磁極と、
中央部に前記シャフトを摺動可能に挿通する貫通孔を有し、この貫通孔は中央部に基端側径が小さく、先端側径が大きくなる段差を持ち、前記シャフトの基端側の径違い段差によって、前記シャフトの基端側への移動を阻止するとともに、前記第１のコイルに通電したときに、前記第１の固定磁極及び、第２の固定磁極と磁気回路を形成可能に設けられるとともに、前記第１の固定磁極によって先端方向への移動を所定位置で阻止される第１の可動磁極と、
前記第１の可動磁極の外周部に配されて、前記第２の固定磁極と、第１の可動磁極の間に設けられ、前記第１の可動磁極の基端側への移動を所定位置で阻止させるためのスペーサと、
前記シャフトを挿通した状態で、前記シャフトに固着されるとともに、前記第１の可動磁極よりも前記シャフトの基端側に配され、前記第２のコイルに通電した時に前記第２の固定磁極及び、前記第１の可動磁極と磁気回路を形成可能に設けられるとともに、前記第１の可動磁極によって先端方向への移動を所定位置で阻止される第２の可動磁極を有することを特徴とするソレノイド。
【請求項２】
さらに前記シャフトが、前記シャフトの移動を阻害しないように挿通され、前記第１の固定磁極に固着したバネケースと、
前記バネケースの先端側底部と前記シャフトの先端側に縮められた状態で設けられ、反発力によって前記シャフトを基端側に押圧するバネを有することを特徴とする請求項１に記載のソレノイド。
【請求項３】
さらに、前記第２の可動磁極に挿通されるとともに、一端を第２の可動磁極に係止し、縮められた状態で設けられ、反発力によって第２の可動磁極を基端側に押圧するバネを有し、
前記バネは、前記第２の固定磁極、前記第１の固定磁極と第２の固定磁極と磁気回路を形成可能にするとともにソレノイドの筐体を形成するケース、第２可動磁極を摺動可能に支持するスリーブ、コイルを保護形成するための筐体であるボビンのいずれかひとつ、又は二つ以上に係止されていることを特徴とする請求項１に記載のソレノイド。
【請求項４】
さらに、前記第１の可動磁極に挿通されるとともに、一端を第２の可動磁極に係止し、縮められた状態で設けられ、反発力によって第２の可動磁極を基端側に押圧するバネを有し、
前記バネは、前記第２の固定磁極、前記第１の固定磁極と第２の固定磁極と磁気回路を形成可能にするとともにソレノイドの筐体を形成するケース、第２可動磁極を摺動可能に支持するスリーブ、コイルを保護形成するための筐体であるボビンのいずれかひとつ、又は二つ以上に係止されていることを特徴とする請求項１に記載のソレノイド。
【発明の詳細な説明】
【０００１】
【発明の属する分野】
本発明は、ソレノイドに係わり、特に可動磁極を多段的に移動させるリニア型のソレノイドに関するものである。
【０００２】
【従来の技術】
近年、様々な構造によって多段階動作を実現したリニア型のソレノイドが提供されている。このようなソレノイドの事例としては、例えばコイルに通電したときに、エアーギャップを埋めるべく固定磁極に接近しようとする可動磁極に対して、可動磁極を固定磁極から遠ざけるように付勢するバネを設ける。この構造において、コイルに流れる電流の大きさを適宜調整すれば、磁力とバネの反発力とが均衡する所定の位置において可動磁極を停止させることができる。すなわち、コイルに電流を流さない状態における可動磁極の位置と、固定磁極に接したときの可動磁極の位置との中間的な位置で停止させることが可能となる。したがって、可動磁極に固定されたシャフトは、３段階の停止位置を持つようにさせることができる。
【０００３】
しかし、上述のような構成では、可動磁極が中間的な位置で停止しているときに、例えば可動磁極が固定磁極から遠ざかるように押圧されると、その外力が比較的小さいものであっても、外力及び磁力とバネの反発力とが均衡する位置まで可動磁極が動くことになる。したがって、中間的な位置で停止しているシャフトは安定性を欠いていると言える。他にも、シャフトを機械的手段によって多段階で停止させるプランジャボール方式と呼ばれるものがあるが、動作時には中間的な位置で必ず一旦停止させなければならないので、動作性に劣るという問題があった。
【０００４】
【発明が解決しようとする課題】
本発明は、上記課題を解決するために、多段階動作が可能で、かつ、シャフトを中間的な位置で安定的に停止させることが可能なソレノイドを提供することを目的とするものである。
【０００５】
【課題を解決するための手段】
上記課題を解決するための手段として、シャフトの軸方向に３箇所、移動と停止が可能なソレノイドにおいて、前記シャフトは長さ方向の中央付近で太くなるような段差を有し、前記シャフトが挿通された状態で前記シャフトを摺動可能に支持する軸受けを備えた第１の固定磁極と、前記第１の固定磁極の近傍に設けられた第１のコイルと、軸方向に間隔をおいて設けられた第２のコイルと、第１のコイルと第２のコイルの間に設けられた第２の固定磁極と、中央部に前記シャフトを摺動可能に挿通する貫通孔を有し、この貫通孔は中央部に基端側径が小さく、先端側径が大きくなる段差を持ち、前記シャフトの基端側の径違い段差によって、前記シャフトの基端側への移動を阻止するとともに、前記第１のコイルに通電したときに、前記第１の固定磁極及び、第２の固定磁極と磁気回路を形成可能に設けられるとともに、前記第１の固定磁極によって先端方向への移動を所定位置で阻止される第１の可動磁極と、前記第１の可動磁極の外周部に配されて、前記第２の固定磁極と、第１の可動磁極の間に設けられ、前記第１の可動磁極の基端側への移動を所定位置で阻止させるためのスペーサと、前記シャフトを挿通した状態で、前記シャフトに固着されるとともに、前記第１の可動磁極よりも前記シャフトの基端側に配され、前記第２のコイルに通電した時に前記第２の固定磁極及び、前記第１の可動磁極と磁気回路を形成可能に設けられるとともに、前記第１の可動磁極によって先端方向への移動を所定位置で阻止される第２の可動磁極を有することを特徴とするものとした。
【０００６】
したがって、本発明に係るソレノイドは、第１の可動磁極のシャフト先端方向への移動を第１の固定磁極で阻止する構造にしたので、第１のコイルの通電時に第１の可動磁極が一定程度以上の磁力によって第１の固定磁極に押しつけていれば、シャフトに加わる外力に抗して停止状態を保つことが可能になる。したがって、相反する方向に働く２つの力の釣り合いによってシャフトを中間的な位置に停止させる従来技術に係る構造よりも安定性が高くなる。
【０００７】
なお、上記の構成において、さらに前記シャフトが、前記シャフトの移動を阻害しないように挿通され、前記第１の固定磁極に固着したバネケースと、前記バネケースの先端側底部と前記シャフトの先端側に縮められた状態で設けられ、反発力によって前記シャフトを基端側に押圧するバネを有する構成とすることも可能である。
【０００８】
さらに、前記第２の可動磁極に挿通されるとともに、一端を第２の可動磁極に係止し、縮められた状態で設けられ、反発力によって第２の可動磁極を基端側に押圧するバネを有し、前記バネは、前記第２の固定磁極、前記第１の固定磁極と第２の固定磁極と磁気回路を形成可能にするとともにソレノイドの筐体を形成するケース、第２可動磁極を摺動可能に支持するスリーブ、コイルを保護形成するための筐体であるボビンのいずれかひとつ、又は二つ以上に係止されている構成とすることも可能である。
【０００９】
さらに、前記第１の可動磁極に挿通されるとともに、一端を第２の可動磁極に係止し、縮められた状態で設けられ、反発力によって第２の可動磁極を基端側に押圧するバネを有し、前記バネは、前記第２の固定磁極、前記第１の固定磁極と第２の固定磁極と磁気回路を形成可能にするとともにソレノイドの筐体を形成するケース、第２可動磁極を摺動可能に支持するスリーブ、コイルを保護形成するための筐体であるボビンのいずれかひとつ、又は二つ以上に係止されている構成とすることも可能である。
【００１０】
【発明の実施の形態】
以下に、本発明の実施の形態に係わるソレノイドを図面に基づいて詳細に説明する。図１は、本発明の実施の形態に係わるソレノイドの一例を示す断面図である。図１において、１０はソレノイド、１１は第１可動磁極、１２は第２可動磁極、１３は第１固定磁極、１４は第２固定磁極、１６はシャフト、１８はスペーサ、１９は軸受け、２０は第１コイル、２１は第２コイル、２２はスリーブ、２３はバネ、２７ａは上部ケース、２７ｂは下部ケース、３１はエアーギャップ、３２は突出部、３３は凹陥部、３４はエアーギャップ、３５は凹陥部、３６は突出部、４０は第１ボビン、４２は第２ボビン、５０はバネケースを示す。
【００１１】
ソレノイド１０は、シャフト１６が３つの停止位置の間を直線的に移動するように構成されている。また、シャフト１６を中間的な位置に停止させずに移動させることも可能である。以下に、ソレノイド１０の主要な構成について説明する。
【００１２】
第１可動磁極１１は摺動可能に設けられた磁極の１つであり、凹陥部３３と突出部３６とからなる。凹陥部３３はシャフト１６の先端側に配され、突出部３６はシャフト１６の基端側に配され、全体として先端側は円柱状、基端側は円錐状に形成されているとともに、先端側においては第１固定磁極１３の突出部３２、基端側は第２可動磁極１２の凹陥部３５にそれぞれ向かい合うように設けられている。
【００１３】
また、第１可動磁極１１は非磁性材料によって形成されたシャフト１６に摺動可能に挿入されている。外周は、突出部３６の近傍の外周より凹陥部３３の近傍の外周を大きくし、全長方向の中央付近の外周に段差が設けてあるので、第１コイル２０が非通電時には、段差部端面において非磁性材料によって形成されたスペーサ１８を介して第２固定磁極１４に当接している。
【００１４】
また、中央の貫通孔はシャフト１６が摺動可能に挿入されており、基端側穴径が小さく、先端側穴径が大きくなり、全長方向中央付近に段差を形成している。この段差端面は、シャフト１６の２つの段差のうち、基端側の段差端面と当接している。
【００１５】
さらに、第２固定磁極１４、下部ケース２７ｂ及び第１固定磁極１３とともに１つの磁気回路を形成し、第１コイル２０に通電したときには、この磁気回路に磁束が供給され、エアーギャップ３１を通過する磁束によって突出部３２と凹陥部３３との間に吸引力が発生する。このため第１可動磁極１１はシャフト１６を先端側に向かって押し、凹陥部３３と突出部３２が非磁性材料によって形成されたギャップスペーサ２８ｂを介して当接した状態となる。
【００１６】
第２可動磁極１２は摺動可能に設けられた磁極の１つであり、全体として円柱状に形成されている。また、第２可動磁極１２は非磁性材料によって形成されたスリーブ２２に摺動可能に挿入されていて、中央を貫く貫通孔にシャフト１６が挿入されるとともに、第１可動磁極１１よりもシャフト１６の基端側に配されている。さらに、この貫通孔の部分においてシャフト１６に固着されている。また、第２可動磁極１２はシャフト１６の先端側に逆円錐状の凹陥部３５が形成されている。第２コイル２１に通電したときには、ケース２７ａ、第１可動磁極１１、第２固定磁極１４とともに１つの磁気回路を形成し、第１可動磁極１１に向かって移動する。
【００１７】
凹陥部３５は、第１可動磁極１１の突出部３６に向かい合うように設けられており、第２コイル２１に通電していないときには、凹陥部３５と突出部３６との間にはエアーギャップ３４が存在している。また、第２コイル２１に通電したときには、エアーギャップ３４を通過する磁束によって凹陥部３５と突出部３６の間に吸引力が発生し、エアーギャップ３４を埋めるべく第２可動磁極１２が第１可動磁極１１に向かって移動し、凹陥部３５と突出部３６が非磁性材料によって形成されたギャップスペーサ２８ａを介して当接した状態となる。
【００１８】
以上のように、第１コイル２０のみに通電したときには、シャフト１６は、エアーギャップ３１の幅だけ第１固定磁極１３側へ向けて移動し、さらに第２コイル２１にも通電したときには、エアーギャップ３４の幅だけさらに移動する。
【００１９】
第１固定磁極１３は固定的に設けられた磁極のひとつであり、バネケース５０を固着したものとなっている。外周部は上部ケース２７ａ及び下部ケース２７ｂとともにソレノイド１０の筐体を形成している。バネケース５０にはシャフト１６及びバネ２３が挿通されており、シャフト１６の先端側段差部とバネケース５０の先端側底部にはバネ２３の一端が係止されている。さらにバネケース５０の基端側にはシャフト１６の移動を可能にする非磁性材料によって形成された軸受け１９が配されている。
【００２０】
第２固定磁極１４は、固定的に設けられた磁極の１つであり、第１可動磁極１１を取り巻くように設けられている。また、コイル２０の非通電時には第１可動磁極１１の段差部の端面がスペーサ１８を介して当接している。
【００２１】
シャフト１６は、非磁性体で形成され、第１可動磁極１１、第２可動磁極１２、第１固定磁極１３、軸受け１９、バネ２３、バネケース５０に挿通されている。また、シャフト１６は長さ方向の中央付近で太くなるような段差が設けてあり、先端側の段差部端面はバネ２３の一端を係止している。基端側段差部は第１可動磁極１１の貫通孔段差部と当接している。このため、第１コイル２０に通電したときに、第１可動磁極１１に押されることによってシャフト１６も先端側へ向かって移動する。なお、シャフト１６は固定磁極１３に挿入された軸受け１９によって摺動可能に支持されている。
【００２２】
スペーサ１８は、非磁性体で形成された輪状の形状をしており、第１可動磁極１１の段差部と第２固定磁極１４との間に介在するように設けられているとともに、第１可動磁極１１に挿通されている。
【００２３】
第１コイル２０は、非磁性体で形成された第１ボビン４０を筐体とし、第１可動磁極１１の凹陥部３３側の外周を取り巻くように設けられている。また、通電されたときには第１可動磁極１１、第１固定磁極１３、下部ケース２７ｂ及び第２固定磁極１４を巡る磁気回路に磁束を供給する。
【００２４】
第２コイル２１は、非磁性体で形成された第２ボビン４１を筐体とし、第１可動磁極１１の突出部３６及び第２可動磁極１２の凹陥部３５の外周を取り巻くように設けられている。また、通電されたときには、第２可動磁極１２、第１可動磁極１１、第２固定磁極１４、上部ケース２７ａを巡る磁気回路に磁束を供給する。
【００２５】
バネ２３は、シャフト１６が挿通されるとともに、第１固定磁極１３に固着されているバネケース５０に収納されており、その両端はシャフト１６の先端側段差部とバネケース５０の先端側底部に係止されている。また、第１コイル２０または第２コイル２１の非通電状態において、軽く押し縮められた状態にあり、その反発力によってシャフト１６をバネケース５０と反対方向の基端側に付勢している。また、第１コイル２０に通電したときには、シャフト１６の先端側段差部によって強く押し縮められる。さらに、第１コイル２０と第２コイル２１と同時に通電したときには、さらに強くシャフト１６を付勢する。
【００２６】
したがって、第１コイル２０にのみ通電した後に非通電状態に戻すと、シャフト１６は基端側に素早く移動し、これにつれてシャフト１６に固着された第２可動磁極１２が同じ方向へ移動し、さらにシャフト１６に押されて第１可動磁極１１が移動する。
【００２７】
さらに、第１コイル２０及び第２コイル２１に同時に通電した後に非通電状態に戻した場合でも同じように移動する。
【００２８】
また、第１コイル２０及び第２コイル２１に同時に通電した後に、第２コイル２１のみを非通電状態に戻した場合には、第２可動磁極１２と第１可動磁極１１との間の吸着力は消滅し、バネ２３によって付勢されたシャフト１６は基端側へ移動する。このとき第１コイル２０によって発生する磁束により、第１可動磁極１１と第１固定磁極１３の間の吸着力は維持されており、第１可動磁極１１は第１固定磁極１３に吸着状態にある。したがって、第１可動磁極１１に挿通しているシャフト１６は基端側の段差部において、第１可動磁極１１の中央部の貫通孔段差部に当接した状態で停止する。
【００２９】
上部ケース２７ａ及び下部ケース２７ｂは、磁気回路をなすことが可能な材料で形成されており、さらに第１固定磁極１３とともにソレノイド１０の筐体を形成する。また、第２固定磁極１４と当接する部分の肉厚を他の部分よりも薄くし、第２固定磁極１４を保持するようにしている。
【００３０】
さらに、本発明の実施の形態に係わるソレノイドの動作について、シャフトの移動状態を中心に説明する。図２〜図５は、図１に示したソレノイドの動作を示す断面図（ａ）〜（ｄ）であり、符号は図１のものと同じものを示す。
【００３１】
まず、第１コイル２０及び第２コイル２１に通電していない状態においては、バネ２３の反発力によってシャフト１６はバネケース５０と反対の基端側の方向に付勢される。したがって、シャフト１６に固着された第２可動磁極１２は同じ方向へ付勢され、さらに第１可動磁極１１においてもシャフト１６の基端側の段差部に押され、同じ方向へ付勢される。しかし、第１可動磁極１１が外周の段差部においてスペーサ１８と当接しているので、シャフト１６は図１に示した位置において安定的に停止している。
【００３２】
次に、第１コイル２０にのみ通電すると、図２に示すように、第１可動磁極１１、第１固定磁極１３、下部ケース２７ｂ、第２固定磁極１４を巡る磁気回路Ａに磁束が供給される。
【００３３】
これにより、エアーギャップ３１を通過する磁束によって突出部３２と凹陥部３３との間に吸引力が発生し、第１可動磁極１１は矢印Ｄの方向に付勢される。矢印Ｄの方向へ付勢された第１可動磁極１１は、図３に示すように、第１固定磁極１３へ向けて移動する。このとき第２可動磁極１２とシャフト１６も移動する。しかし、図３に示すように、エアーギャップ３１の幅だけ移動したところで、第１可動磁極１１の凹陥部３３が第１固定磁極１３の突出部３２に当接して移動が止まる。この状態において、第１コイル２０への通電を続ければ、第１可動磁極１１は、第１固定磁極１３に吸着された状態で安定する。
【００３４】
さらに、第１コイル２０に加えて第２コイル２１に通電すると、第２可動磁極１２、第１可動磁極１１、第２固定磁極１４、上部ケース２７ａを巡る磁気回路Ｂに磁束が供給される。
【００３５】
これにより、図４に示すように、エアーギャップ３４を通過する磁束によって凹陥部３５と突出部３６の間に吸引力が発生し、第２可動磁極１２は矢印Ｅの方向に付勢される。第２可動磁極１２は、第１可動磁極１１へ向けて移動し、同時にシャフト１６もさらに移動する。  図５に示すように、エアーギャップ３４の幅だけ移動したところで、第２可動磁極１２の凹陥部３５が第１可動磁極１１の突出部３６に吸着された状態となって移動が止まる。この状態において、第２コイル２１への通電を続ければ、第２可動磁極１２は、第１可動磁極１１に吸着状態にあるので安定する。
【００３６】
次に第２コイル２１への通電を停めると、図４の矢印Ｅの方向へ働く力が解消され、バネ２３の反発力によってシャフト１６はバネケース５０と反対の基端側の方向に移動する。これにつれて、第２固定磁極１２も移動するが、第２固定磁極１２はシャフト１６に固着されており、シャフト１６は基端側の段差部において、第１可動磁極１１の中央部の貫通孔段差部と当接したところで停止する。
【００３７】
さらに、第１コイル２０への通電も停めると、図２の矢印Ｄの方向へ働く力も解消され、バネ２３の反発力によってシャフト１６がバネケース５０と反対の基端側へさらに移動する。これにつれて、第２可動磁極１２も移動するが、第１可動磁極１１は外周の段差部においてスペーサ１８を介して第２固定磁極１４に当接したところで停止する。
【００３８】
以上のように、本発明の実施の形態に係るソレノイド１０は、第１コイル２０及び第２コイル２１の非通電、第１コイル２０のみの通電、第１コイル２０及び第２コイル２１への通電を切り替えることで、シャフト１６の停止位置を３つ設定することができる。また、シャフト１６が図３に示した中間的な停止位置にあるとき、すなわち第１コイル２０のみに通電したときには、第１可動磁極１１は第１固定磁極１３にしっかり吸着された状態で安定している。したがって、シャフト１６に多少の外力が加わっても、従来技術に係るソレノイドのように、シャフト１６がふらつくことがない。
【００３９】
さらに、第１コイル２０及び第２コイル２１への同時通電、同時非通電を行うことにより、シャフト１６を図２に示す位置と図５に示す位置との間で自在に移動することができる。したがって、ソレノイド１０を動作させる回路等の構成を簡素化できる。ひいては、ソレノイド１０の動作性の向上も容易になる。くわえて、シャフト１６の３つの停止位置の間隔は、スペーサ１８の高さ、またはシャフト１６の段差部、第１可動磁極１１の貫通孔や外周に設けている段差部長さ方向の寸法を適宜変更することによって簡単に調整することができる。
【００４０】
なお、この実施の形態においては、バネ２３を第１固定磁極１３に固着しているバネケース５０に収納するものとしたが、例えばバネ２３の反発力を大きくするために、バネケース５０より径の大きなバネを、ソレノイド１０の内部、及び外部に収納可能に設けるなど、他の構成を採用しても良い。また、コイルバネ以外のバネを用いても良い。さらに、バネに代えて油圧回路を用いても良い。要するに、第１コイル２０または第２コイル２１への通電を停止したときに、第１可動磁極１１、第２可動磁極１２及びシャフト１６などを元の位置へ復帰するように付勢することができるならば、どのような手段を採用しても良い。また、第１可動磁極１１、第２可動磁極１２及び第１固定磁極１３の突出部及び凹陥部の形状は、図１等に示したものに限られるものではない。
【発明の効果】
以上のように、本発明は、第１の可動磁極と第２の可動磁極とに１本のシャフトを挿通し、第１の可動磁極と磁気回路を形成可能にする第１のコイルと、第２の可動磁極と磁気回路を形成可能にする第２のコイルを設け、さらに、第１の可動磁極の可動範囲を制限する第１の固定磁極と、第２の可動磁極の可動範囲を第１の可動磁極で制限するように設けたので、第１のコイルを通電したときに第１の可動磁極が第１の固定磁極に吸着して静止し、さらに、第１のコイルに加えて、第２のコイルに通電したときには、第２の可動磁極が第１の可動磁極に吸着して静止する。このように、中間位置、最終位置共に磁極同士の吸着によって得られるために従来のソレノイドよりも高い停止位置精度、及び安定性を確保できる。
【００４１】
また、第１のコイルと第２のコイルを同時に通電状態にする、あるいは同時に非通電状態にすることによって、シャフトを第１の停止位置から最終位置またはその逆へ、中間的な停止位置で一旦停止することなく直接移動することができるので、動作ロジックがシンプルになる。
【００４２】
【図面の簡単な説明】
【図１】本発明の実施の形態に係わるソレノイドの一例目を示す断面図である。
【図２】図１に示したソレノイドの動作を示す断面図（ａ）である。
【図３】図１に示したソレノイドの動作を示す断面図（ｂ）である。
【図４】図１に示したソレノイドの動作を示す断面図（ｃ）である。
【図５】図１に示したソレノイドの動作を示す断面図（ｄ）である。
【図６】本発明の実施の形態に係わるソレノイドの二例目を示す断面図である。
【図７】本発明の実施の形態に係わるソレノイドの三例目を示す断面図である。
【符号の簡単な説明】
１０    ソレノイド
１１      第１可動磁極
１２      第２可動磁極
１３      第１固定磁極
１４      第２固定磁極
１６      シャフト
１８      スペーサ
１９      軸受け
２０      第１コイル
２１      第２コイル
２２      スリーブ
２３      バネ
２７    ケース
２７ａ  上部ケース
２７ｂ  下部ケース
２８ａ  ギャップスペーサ
２８ｂ  ギャップスペーサ
３１      エアーギャップ
３２      突出部
３３      凹陥部
３４      エアーギャップ
３５      凹陥部
３６      突出部
４０    第１ボビン
４１    第２ボビン
５０      バネケース
【図１】
2004363333.tif 000003
【図２】
2004363333.tif 000004
【図３】
2004363333.tif 000005
【図４】
2004363333.tif 000006
【図５】
2004363333.tif 000007
【図６】
2004363333.tif 000008
【図７】
2004363333.tif 000009